(57)【要約】【課題】ハンズフリー動作時のＣＰＵ処理の簡素化およびハンズフリー機能向上したボタン電話機を提供する。【解決手段】ボタン電話機１は、ＣＰＵ２で制御される通信・音声用ＩＣ３を含み、この通信・音声用ＩＣ３は、通信部７、ＣＯＤＥＣ部８、ＣＰＵインタフェース部９、アナログインタフェース部１０および音量調整部１１により構成される。ＣＯＤＥＣ部８は、ハンズフリー補助回路部１２、Ａ／Ｄ・Ｄ／Ａ変換部１３およびμ／Ａ−ｌａｗ−リニアＰＣＭデータ変換部１４を含んでいる。ハンズフリー補助回路部１２は、受話側および送話側ともに、バンドパスフィルタ部１５、１対の絶対値変換部１５、１対の累算回路部１７、１対の除算回路部１８、コンパレータ部１９およびＰＣＭデータ変換部２０により構成される。【選択図】　　　　図３
2004007179.tif 000002
【特許請求の範囲】
【請求項１】
送受話音声のＰＣＭデータのピーク値をμ―ｌａｗ方式のデータで出力する機能を有する音声用ＩＣを使用するボタン電話機において、
前記音声用ＩＣにバンドパスフィルタを設けることにより、該バンドパスフィルタ有りおよび無しのＰＣＭデータのピーク値をμ―ｌａｗ方式のデータで出力し、該データによりハンズフリー機能を実現することを特徴とするボタン電話機。
【請求項２】
前記バンドパスフィルタは、受信したリニアＰＣＭデータの音声信号の主帯域周波数である６００Ｈｚ〜１５００Ｈｚであることを特徴とする請求項１に記載のボタン電話機。
【請求項３】
送受話音声のＰＣＭデータをμ―ｌａｗ方式のデータで出力する機能を有する音声用ＩＣを使用するボタン電話機において、
前記音声用ＩＣに累算回路および除算回路を設け、一定時間の平均値のＰＣＭデータをμ―ｌａｗ方式のデータで出力し、該データによりハンズフリー機能を実現することを特徴とするボタン電話機。
【請求項４】
前記累算回路は、データを累算する累算データおよび累算した個数を求め、前記除算回路は、前記累算データを前記累算個数で除算することを特徴とする請求項３に記載のボタン電話機。
【請求項５】
前記累算回路は、一定個数のデータ又は制御部から読み出し信号を受信するまでのデータを累算することを特徴とする請求項３又は４に記載のボタン電話機。
【請求項６】
ハンドセット、マイクおよびスピーカに接続され、制御部により制御される通信・音声用ＩＣにより構成されたボタン電話機において、
前記通信・音声用ＩＣのμ／Ａ−ｌａｗ−リニアＰＣＭデータ変換部および前記制御部間に設けられたハンズフリー補助回路部は、受話側および送話側にバンドパスフィルタ部、累算回路部および除算回路を備え、平均値データを出力することを特徴とするボタン電話機。
【請求項７】
ハンドセット、マイクおよびスピーカに接続され、制御部により制御される通信・音声ＩＣにより構成されるボタン電話機において、
前記通信・音声用ＩＣのＣＯＤＥＣ部に含まれるハンズフリー補助回路部の受話側および送話側は、それぞれ音声信号が入力されるバンドパスフィルタおよび第１絶対値変換部、前記バンドパスフィルタの出力側に接続された第２絶対値変換部、前記第１および第２絶対値変換部の出力側に接続され平均値データを求める１対の累算回路部および除算回路部を含むことを特徴とするボタン電話機。
【発明の詳細な説明】
【０００１】
【発明の属する技術分野】
本発明はボタン電話機に関し、特に音声用ＩＣから出力されるＰＣＭデータの内容を改良するボタン電話機に関する。
【０００２】
【従来の技術】
ボタン電話機は、ダイヤルの桁数が増加したことによる不便を回避するために、呼び出し回数の多い相手に限りボタンで呼び出し可能にする電話機である。ボタン電話機に関する従来技術は、例えば特開平９−１６３４２１号公報の「ボタン電話装置」等に開示されている。
【０００３】
従来、ボタン電話機において送受話音声のリニアＰＣＭデータをμ−ｌａｗ方式のデータとして出力する機能には以下に示すものがある。図４は、従来技術のボタン電話機の構成を示すものである。このボタン電話機１０１は、ボタン電話機１０１を制御するＣＰＵ１０２、通信および音声信号を処理する通信・音声用ＩＣ（半導体集積回路）１０３、通話を行うためのハンドセット１０４、音声を集音するマイク１０５および音声を出力するスピーカ１０６により構成される。
【０００４】
また、通信・音声用ＩＣ１０３は、上位装置と接続するための通信部１０７、音声データのアナログ−デジタル（Ａ／Ｄ）変換等を行うＣＯＤＥＣ部１０８、ＣＰＵ１０２と接続するためのＣＰＵインタフェース部１０９、ハンドセット１０４、マイク１０５およびスピーカ１０６と接続するためのアナログインタフェース部１１０およびハンズフリー動作時に送受話音量を調整する送受話音量調整部１１１を有する。更に、ＣＯＤＥＣ部１０８は、デジタル変換された音声データを処理するハンズフリー補助回路部１１２、リニアＰＣＭデータとアナログ音声を変換するＡ／Ｄ・Ｄ／Ａ変換部１１３およびμ／Ａ−ｌａｗ方式のデータとリニアＰＣＭデータを変換するμ／Ａ−ｌａｗ−リニアＰＣＭデータ変換部１１４を有する。
【０００５】
更にまた、ハンズフリー補助回路部１１２は、それぞれ受話側および送話側として１対の絶対値変換部１１５ａ、１１５ｂ、コンパレータ（比較器）部１１６ａ、１１６ｂおよびＰＣＭ（Ｐｕｌｓｅ　Ｃｏｄｅ　Ｍｏｄｕｌａｔｉｏｎ）データ変換部１１７ａ、１１７ｂを有する。絶対値変換部１１５ａ、１１５ｂは、正負の極性があるリニアＰＣＭデータを絶対値に変換する。コンパレータ部１１６ａ、１１６ｂは、絶対値変換部１１５ａ、１１５ｂを通過後の現在の音声データが過去の音声データより大きい場合に、その音声データを保持する。ＰＣＭデータ変換部１１７ａ、１１７ｂは、ピーク値音声データをμ−ｌａｗ方式のデータに変換しＣＰＵインタフェース部１０９へ出力する。
【０００６】
図４において、ボタン電話機１０１は、上位装置からのμ−ｌａｗ又はＡ−ｌａｗ（以下、μ／Ａ−ｌａｗという）方式の音声データを通信・音声用ＩＣ１０３内の通信部１０７で受信してＣＯＤＥＣ部１０８へ送信する。ＣＯＤＥＣ部１０８は、μ／Ａ−ｌａｗ方式の音声データをμ／Ａ−ｌａｗ−リニアＰＣＭデータ変換部１１４でリニアＰＣＭデータに変換してハンズフリー補助回路部１１２の受話側絶対値変換部１１５ａへ送信する。絶対値変換部１１５ａは、受信したリニアＰＣＭデータを絶対値データへ変換してコンパレータ部１１６ａへ送信する。コンパレータ部１１６ａは、受信した現在の音声データが過去の音声データより大きい場合には、その音声データを保持し、保持した音声データをＰＣＭデータ変換部１１７ａへ送信する。ＰＣＭデータ変換部１１７ａは、音声データを受信すると、μ−ｌａｗ方式のデータへ変換する。
【０００７】
また、ボタン電話機１０１のマイク１０５から入力されたアナログ音声は、アナログインタフェース部１１０および音量調整部１１１を通してＣＯＤＥＣ部１０８へ入力される。ＣＯＤＥＣ部１０８は、アナログ音声をＡ／Ｄ・Ｄ／Ａ変換部１１３でリニアＰＣＭデータに変換してハンズフリー補助回路部１１２の送話側の絶対値変換部１１５ｂへ送信する。その後は、受話側と同じ動作を行い、ＰＣＭデータ変換部１１７ｂにおいてμ−ｌａｗ方式のデータへ変換する。ＣＰＵ１０２から送話側又は受話側のピーク値が読み出されると、ＰＣＭデータ変換部１１７ａ又はＰＣＭデータ変換部１１７ｂは、μ−ｌａｗ方式のデータを、ＣＰＵインタフェース部１０９を通してＣＰＵ１０２へ送信する。送信後、コンパレータ部１１６ａ又はコンパレータ部１１６ｂは、保持していたピーク値データをクリアする。ＣＰＵ１０２は、受信したピーク値のμ−ｌａｗ方式のデータを元に音量調整部１１１に対して送受話音声の調整を行い、ハンズフリー機能を動作する。
【０００８】
【発明が解決しようとする課題】
上述した従来のボタン電話機は、出力されるμ−ｌａｗ方式のデータを元に動作するハンズフリー機能のＣＰＵ処理が複雑になるという課題を有する。その理由は、音声用ＩＣから出力されるデータがピーク値のみのためである。
【０００９】
【発明の目的】
本発明は、従来技術の上述した課題に鑑みなされたものであり、音声用ＩＣから出力されるμ−ｌａｗ方式のデータがピーク値のみでなくバンドパスフィルタ通過前後の値およびある一定時間の平均値が出力されるようにして、一層正確な音声信号レベルの検出が可能となり、ハンズフリー機能のＣＰＵ処理が簡易化されると共にハンズフリー機能が向上したボタン電話機を提供することを目的とする。
【００１０】
【課題を解決するための手段】
前述の課題を解決するため、本発明によるボタン電話機は次のような特徴的な構成を採用している。
【００１１】
（１）送受話音声のＰＣＭデータのピーク値をμ―ｌａｗ方式のデータで出力する機能を有する音声用ＩＣを使用するボタン電話機において、
前記音声用ＩＣにバンドパスフィルタを設けることにより、該バンドパスフィルタ有りおよび無しのＰＣＭデータのピーク値をμ―ｌａｗ方式のデータで出力し、該データによりハンズフリー機能を実現するボタン電話機。
【００１２】
（２）前記バンドパスフィルタは、受信したリニアＰＣＭデータの音声信号の主帯域周波数である６００Ｈｚ〜１５００Ｈｚである上記（１）のボタン電話機。
【００１３】
（３）送受話音声のＰＣＭデータをμ―ｌａｗ方式のデータで出力する機能を有する音声用ＩＣを使用するボタン電話機において、
前記音声用ＩＣに累算回路および除算回路を設け、一定時間の平均値のＰＣＭデータをμ―ｌａｗ方式のデータで出力し、該データによりハンズフリー機能を実現するボタン電話機。
【００１４】
（４）前記累算回路は、データを累算する累算データおよび累算した個数を求め、前記除算回路は、前記累算データを前記累算個数で除算する上記（３）のボタン電話機。
【００１５】
（５）前記累算回路は、一定個数のデータ又は制御部から読み出し信号を受信するまでのデータを累算する上記（３）又は（４）のボタン電話機。
【００１６】
（６）ハンドセット、マイクおよびスピーカに接続され、制御部により制御される通信・音声用ＩＣにより構成されたボタン電話機において、
前記通信・音声用ＩＣのμ／Ａ−ｌａｗ−リニアＰＣＭデータ変換部および前記制御部間に設けられたハンズフリー補助回路部は、受話側および送話側にバンドパスフィルタ部、累算回路部および除算回路を備え、平均値データを出力するボタン電話機。
【００１７】
（７）ハンドセット、マイクおよびスピーカに接続され、制御部により制御される通信・音声ＩＣにより構成されるボタン電話機において、
前記通信・音声用ＩＣのＣＯＤＥＣ部に含まれるハンズフリー補助回路部の受話側および送話側は、それぞれ音声信号が入力されるバンドパスフィルタおよび第１絶対値変換部、前記バンドパスフィルタの出力側に接続された第２絶対値変換部、前記第１および第２絶対値変換部の出力側に接続され平均値データを求める１対の累算回路部および除算回路部を含むボタン電話機。
【００１８】
【発明の実施の形態】
次に、本発明によるボタン電話機の好適実施形態の構成および動作を、添付図面を参照して詳細に説明する。
【００１９】
図１〜図３を参照して説明する。図１は、本発明によるボタン電話機の好適実施形態の全体構成を示すブロック図である。図２は、図１中の通信・音声用ＩＣの詳細構成を示すブロック図である。図３は、図２中のハンズフリー補助回路の詳細構成を示すブロック図である。
【００２０】
本発明のボタン電話機１は、図１に示す如く、ボタン電話機１の全体動作を制御するＣＰＵ２、通信および音声信号を処理する通信・音声用ＩＣ３、通話を行うためのハンドセット４、音声を集音するマイク５および音声を出力するスピーカ６により構成される。
【００２１】
図２に示す如く、通信・音声用ＩＣ３は、上位装置と接続するための通信部７、音声データをＡ／Ｄ変換等を行うＣＯＤＥＣ部８、ＣＰＵ２と接続するためのＣＰＵインタフェース部９、ハンドセット４、マイク５およびスピーカ６と接続するためのアナログインタフェース部１０およびハンズフリー動作時に送受話音量を調整する送受話音量調整部１１により構成される。また、ＣＯＤＥＣ部８は、デジタルに変換された音声データを処理するハンズフリー補助回路部１２、リニアＰＣＭデータとアナログ音声を変換するＡ／Ｄ・Ｄ／Ａ変換部１３およびμ／Ａ−ｌａｗ方式のデータとリニアＰＣＭデータを変換するμ／Ａ−ｌａｗ−リニアＰＣＭデータ変換部１４により構成される。
【００２２】
また、図３に示す如く、ハンズフリー補助回路部１２は、μ／Ａ−ｌａｗ−リニアＰＣＭデータ変換部１４およびＣＰＵインタフェース部９間に接続される受話側およびＡ／Ｄ・Ｄ／Ａ変換部１３およびＣＰＵインタフェース部９間に接続される送話側により構成される。そして、これら受話側と送話側とは、同様構成である。
【００２３】
即ち、通過可能な音声周波数帯域を設定できるバンドパスフィルタ部１５ａ−１５ｂ、正負の極性があるリニアＰＣＭデータを絶対値に変換する絶対値変換部１６ａ〜１６ｄ、絶対値に変換されたデジタル音声データを累算する累算回路部１７ａ〜１７ｄ、累算した音声データを累算したデータ数で割り音声データの平均値を求める除算回路部１８ａ〜１８ｄおよびバンドパスフィルタ部１５ａ−１５ｂと絶対値変換部１６ａ−１６ｃを通過後の現在の音声データが過去の音声データより大きい場合に、その音声データを保持するコンパレータ部１９ａ−１９ｂ、除算回路部１８ａ〜１８ｄとコンパレータ部１９ａ〜１９ｂ通過後の音声データをμ−ｌａｗ方式のデータに変換してＣＰＵインタフェース部９へ出力するＰＣＭデータ変換部２０ａ−２０ｂにより構成される。
【００２４】
次に、ボタン電話機１の動作を説明する。ボタン電話機１は、上位装置からのμ／Ａ−ｌａｗ方式の音声データを通信・音声用ＩＣ３内の通信部７で受信してＣＯＤＥＣ部８へ出力する。ＣＯＤＥＣ部８は、μ／Ａ−ｌａｗ方式の音声データをμ／Ａ−ｌａｗ−リニアＰＣＭデータ変換部１４でリニアＰＣＭデータに変換し、ハンズフリー補助回路部１２の受話側バンドパスフィルタ部１５ａおよび絶対値変換部１６ｂへ出力する。バンドパスフィルタ部１５ａは、受信したリニアＰＣＭデータを音声信号の主帯域周波数である６００Ｈｚ〜１５００Ｈｚのバンドパスフィルタをかけ、絶対値変換部１６ａへ出力する。このバンドパスフィルタ部１５ａは、使用者毎に異なる音声帯域に対応するため可変できる。
【００２５】
絶対値変換部１６ａは、受信したデータを絶対値データへ変換して累算回路部１７ａおよびコンパレータ部１９ａへ出力する。累算回路部１７ａでは、例えば２４個まで又はＣＰＵ２からの読み出し信号が通信・音声用ＩＣ３に出力されるまでデータを累算する。また、累算したデータ数も数えている。累算されたデータおよび累算したデータ数は、除算回路部１８ａへ出力される。この除算回路部１８ａでは、累算されたデータを累算したデータ数で除算する。除算されたデータは、ＰＣＭデータ変換部２０ａへ出力される。
【００２６】
コンパレータ部１９ａでは、受信した現在の音声データが過去の音声データより大きい場合は、その音声データを保持し、保持した音声データをＰＣＭデータ変換部２０ａへ出力する。リニアＰＣＭデータは、正負の極性を有しているため、絶対値変換部１６ｂは、絶対値変換部１６ａと同様に受信したリニアＰＣＭデータを絶対値データへ変換し、累算回路部１７ｂへ出力する。累算回路部１７ｂも累算回路部１７ａと同様に動作し、データを累算する。また、累算した個数も数えている。累算されたデータは、除算回路部１８ｂへ出力される。除算回路部１８ｂも除算回路部１８ａと同様に動作し、除算したデータをＰＣＭデータ変換部２０ａへ出力する。
【００２７】
次に、ＰＣＭデータ変換部２０ａは、それぞれの音声データを受信すると、μ−ｌａｗ方式のデータへ変換する。また、ボタン電話機１のマイク５から入力されたアナログ音声は、アナログインタフェース部１０および音量調整部１１を通してＣＯＤＥＣ部８へ入力される。ＣＯＤＥＣ部８は、アナログ音声をＡ／Ｄ・Ｄ／Ａ変換部１３でリニアＰＣＭデータに変換し、ハンズフリー補助回路部１２の送話側バンドパスフィルタ部１５ｂおよび絶対値変換部１６ｄへ出力する。その後は、上述した受話側と同様に動作し、ＰＣＭデータ変換部２０ｂにおいてμ−ｌａｗ方式のデータへ変換する。
【００２８】
ＣＰＵ２から送話側又は受話側のバンドパスフィルタ１５ａ、１５ｂを通過後の音声データの平均値又はバンドパスフィルタ１５ａ、１５ｂを通過後のピーク値又はバンドパスフィルタ１５ａ、１５ｂを通過しない音声データの平均値が読み出されると、ＰＣＭデータ変換部２０ａ又はＰＣＭデータ変換部２０ｂは、それぞれのμ−ｌａｗ方式のデータを、ＣＰＵインタフェース部９を通してＣＰＵ２へ出力する。その後、例えば送話側の３つのデータが全て出力された時点で、送話側のみデータをクリアする。受話側の場合も同様にデータをクリアする。ＣＰＵ２は、受信したそれぞれのμ−ｌａｗ方式のデータを元に音量調整部１１に対して送受話音声の調整を行い、ハンズフリー機能を動作する。
【００２９】
以上、本発明によるボタン電話機の好適実施形態の構成および動作を詳述した。しかし、斯かる実施形態は、本発明の単なる例示に過ぎず、何ら本発明を限定するものではない。本発明の要旨を逸脱することなく、特定用途に応じて種々の変形変更が可能であること、当業者には容易に理解できよう。
【００３０】
【発明の効果】
以上の説明から明らかな如く、本発明のボタン電話機によれば、次の如き実用上の顕著な効果が得られる。即ち、ＣＯＤＥＣ部内のバンドパスフィルタ部、絶対値変換部、累算回路部、除算回路部、コンパレータ部およびＰＣＭデータ変換部の基本構成に基づき、バンドパスフィルタ部を通過したμ−ｌａｗ方式の平均値データ、ピーク値データ、バンドパスフィルタ部を通過しないμ−ｌａｗ方式の平均値データの出力を実現したボタン電話機が得られる。従って、一層正確な音声信号レベルの検出が可能である。また、ハンズフリー機能のＣＰＵ処理が簡単になる。
【図面の簡単な説明】
【図１】本発明によるボタン電話機の好適実施形態の全体構成を示すブロック図である。
【図２】図１中の通信・音声用ＩＣの詳細構成を示すブロック図である。
【図３】図２中のハンズフリー補助回路部の詳細構成を示すブロック図である。
【図４】従来のボタン電話機の構成を示すブロック図である。
【符号の説明】
１　ボタン電話機
２　ＣＰＵ（制御部）
３　通信・音声用ＩＣ
４　ハンドセット
５　マイク
６　スピーカ
７　通信部
８　ＣＯＤＥＣ部
９　ＣＰＵインタフェース部
１０　アナログインタフェース部
１１　音量調整部
１２　ハンズフリー補助回路部
１３　Ａ／Ｄ・Ｄ／Ａ変換部
１４　μ／Ａ−ｌａｗ−リニアＰＣＭデータ変換部
１５ａ、１５ｂ　バンドパスフィルタ部
１６ａ〜１６ｄ　絶対値変換部
１７ａ〜１７ｄ　累算回路部
１８ａ〜１８ｄ　除算回路部
１９ａ、１９ｂ　コンパレータ部
２０ａ、２０ｂ　ＰＣＭデータ変換部
【図１】
2004007179.tif 000003
【図２】
2004007179.tif 000004
【図３】
2004007179.tif 000005
【図４】
2004007179.tif 000006